(57)【要約】【課題】簡単な構成で、２方向同時に同一の角度及び角速度を有した振れを発生すると共に、２方向の振れの位相差を固定することができるブレ補正装置の検査装置及びブレ補正装置の検査方法を提供する。【解決手段】駆動軸１０４の回転により回転する偏芯ディスク１０６と、偏芯ディスク１０６にＸ軸方向から接触する第１の接触部１０７ａを有しＹ軸方向に沿って設けられた第１の回転中心軸１０８を中心として回転移動可能な第１の支持部材１０７と、第１の回転中心軸１０８に対して直交するように設けられた第２の回転中心軸１１０を介して第１の支持部材１０７に支持され、偏芯ディスク１０６にＹ軸方向から接触する第２の接触部１１１ａを有し第２の回転中心軸１１０を中心として回転移動可能な部材であって、交換レンズ１を固定する固定部１１１ｂ，１１１ｃを有した第２の支持部材１１１とを備える検査装置とする。【選択図】                図２
2004287348.tif 000002
【特許請求の範囲】
【請求項１】
ブレ補正装置を所定の位置を中心として振ることができるように支持する支持機構と、
前記支持機構の少なくとも一部と接触及び／又は接続され、前記支持機構に対して略直交する２軸方向の振動を同時に与える振動発生部と、
を備えたブレ補正装置の検査装置。
【請求項２】
請求項１に記載のブレ補正装置の検査装置において、
前記振動発生部は、前記ブレ補正装置の光軸が略円錐面に沿って移動するように前記支持機構へ振動を伝えること、
を特徴とするブレ補正装置の検査装置。
【請求項３】
請求項１又は請求項２に記載のブレ補正装置の検査装置において、
前記支持機構に支持されたブレ補正装置の光軸に沿った方向をＺ軸方向とするＸＹＺ直交座標系を想定したときに、
前記振動発生部は、駆動力を受けて回転する軸であってＺ軸方向に沿って設けられた駆動軸と、
前記駆動軸に対して偏芯した位置を中心とする円筒面を有し前記駆動軸の回転により回転する偏芯ディスクと、
を有し、
前記支持機構は、前記偏芯ディスクにＸ軸方向から接触する第１の接触部を有しＹ軸方向に沿って設けられた第１の回転中心軸を中心として揺動可能な第１の支持部材と、
前記第１の回転中心軸に対して直交するように設けられた第２の回転中心軸を介して前記第１の支持部材に支持され、前記偏芯ディスクにＹ軸方向から接触する第２の接触部を有し前記第２の回転中心軸を中心として揺動可能な部材であって、前記ブレ補正装置を固定する固定部を有した第２の支持部材と、
を有すること、
を特徴とするブレ補正装置の検査装置。
【請求項４】
請求項３に記載のブレ補正装置の検査装置において、
前記偏芯ディスクから前記第１の支持部材及び第２の支持部材が受ける振動は、位相が９０度ずれていること、
を特徴とするブレ補正装置の検査装置。
【請求項５】
請求項４に記載のブレ補正装置の検査装置において、
前記偏芯ディスクは、前記駆動軸に対する偏芯量を変更することができるようにする偏芯量変更部材を介して前記駆動軸へ取り付けられていること、
を特徴とするブレ補正装置の検査装置。
【請求項６】
請求項３から請求項５までのいずれか１項に記載のブレ補正装置の検査装置において、
前記支持機構に支持されたブレ補正装置の光軸と、前記第１の回転中心軸と、前記第２の回転中心軸とは、略同一の点において交差し、その交差する点は、前記ブレ補正装置が像を結ぶ位置と略一致していること、
を特徴とするブレ補正装置の検査装置。
【請求項７】
請求項３から請求項６までのいずれか１項に記載のブレ補正装置の検査装置において、
前記偏芯ディスクの単位時間当りの回転数を表示する周波数表示部を備えること、
を特徴とするブレ補正装置の検査装置。
【請求項８】
請求項１から請求項７までのいずれか１項に記載のブレ補正装置の検査装置において、
前記支持機構に支持されたブレ補正装置から光線を逆投影する投影部を備えること、
を特徴とするブレ補正装置の検査装置。
【請求項９】
請求項８に記載のブレ補正装置の検査装置において、
前記投影部は、前記支持機構に支持されたブレ補正装置に対して電力供給を行う電力供給部と、
前記支持機構に支持されたブレ補正装置に対してブレ補正動作の開始を指示するブレ補正開始指示部と、
を有すること、
を特徴とするブレ補正装置の検査装置。
【請求項１０】
ブレ補正装置に対して２軸方向の角度振れを与えることにより、前記ブレ補正装置を所定の位置を中心として光軸が円錐面に略沿うように振る検査用振れ動作を行い、
前記ブレ補正装置から光線を逆投影して所定の位置に設けられた壁面に前記光線を投影し、
前記ブレ補正装置がブレ補正動作を行うときと行わないときとの前記投影された光線の軌跡を観察することにより、
前記ブレ補正装置のブレ補正動作が正常であるか否かを検査する検査方法。
【発明の詳細な説明】
【０００１】
【発明の属する技術分野】
本発明は、ブレ補正機能を有する交換レンズ、カメラ等のブレ補正装置が正常に動作するか否かを検査するブレ補正装置の検査装置及びブレ補正装置の検査方法に関するものである。
【０００２】
【従来の技術】
ブレ補正機能を有する交換レンズ、カメラ等のブレ補正装置は、製造過程、又は、修理時などに、ブレ補正動作が正常に動作するか否かの検査をする必要がある。例えば、特許文献１には、カメラを加振台に取り付けてカメラに強制的に振動を与え、そのときのブレ補正光学系の動きを検出して、ブレ補正動作が正常に行われているか否かを判断する手法が開示されている。
【０００３】
【特許文献１】
特開平７−２６１２２２号公報
【０００４】
【発明が解決しようとする課題】
しかし、前述した従来の検査装置及び検査方法は、以下のような問題があった。
（１）従来の検査装置及び検査方法は、加振する方向を２方向有しているものの、加振する動作及びカメラの検査は、各方向を独立して行う必要があり、検査工程に多くの手間及び時間が掛かってしまうという問題があった。
【０００５】
（２）従来の検査装置及び検査方法は、１方向の加振を行う機構を２つの方向に対応して２つ設けているので、装置が高価になり、サイズも大きくなってしまうという問題があった。
【０００６】
（３）従来の検査装置及び検査方法には、加振する機構を１方向分のみ有し、検査するブレ補正装置の取り付け方向を変更して検査するものもある。しかし、その場合、ブレ補正装置を各方向に正確に設定するための機構が必要であり、装置が高価で複雑になると共に、ブレ補正装置の装着方向の変更作業がさらに加わり、より多くの手間及び時間が掛かってしまうという問題があった。
【０００７】
（４）従来の検査装置及び検査方法は、各方向を独立して検査することから、各方向のブレ補正動作に位相ずれがあっても、それを検出することが困難であるという問題があった。
【０００８】
（５）従来の検査装置及び検査方法は、ブレ補正動作を検査するために、ブレ補正光学系の動きを検出するなど、検査装置自体にも高精度なセンサ、データ処理装置等が必要となってしまう。ブレ補正装置を生産する工場などにおける検査であれば、このような大がかりな検査装置を用いてもよいが、全国及び全世界の修理拠点にこれらの検査装置を配置するのは、装置の大きさ及び費用の点で現実的でないという問題があった。
【０００９】
本発明の課題は、簡単な構成で、２方向同時に同一の角度及び角速度を有した振れを発生すると共に、２方向の振れの位相差を固定することができるブレ補正装置の検査装置及びブレ補正装置の検査方法を提供することである。
【００１０】
【課題を解決するための手段】
本発明は、以下のような解決手段により、前記課題を解決する。なお、理解を容易にするために、本発明の実施形態に対応する符号を付して説明するが、これに限定されるものではない。すなわち、請求項１の発明は、ブレ補正装置（１）を所定の位置を中心として振ることができるように支持する支持機構（１０７，１０８，１１０，１１１）と、前記支持機構の少なくとも一部と接触及び／又は接続され、前記支持機構に対して略直交する２軸方向の振動を同時に与える振動発生部（１０４，１０６）と、を備えたブレ補正装置の検査装置である。
【００１１】
請求項２の発明は、請求項１に記載のブレ補正装置の検査装置において、前記振動発生部（１０４，１０６）は、前記ブレ補正装置の光軸が略円錐面に沿って移動するように前記支持機構（１０７，１０８，１１０，１１１）へ振動を伝えること、を特徴とするブレ補正装置の検査装置である。
【００１２】
請求項３の発明は、請求項１又は請求項２に記載のブレ補正装置の検査装置において、前記支持機構（１０７，１０８，１１０，１１１）に支持されたブレ補正装置（１）の光軸に沿った方向をＺ軸方向とするＸＹＺ直交座標系を想定したときに、前記振動発生部（１０４，１０６）は、駆動力を受けて回転する軸であってＺ軸方向に沿って設けられた駆動軸（１０４）と、前記駆動軸に対して偏芯した位置を中心とする円筒面（１０６ｃ）を有し前記駆動軸の回転により回転する偏芯ディスク（１０６）と、を有し、前記支持機構は、前記偏芯ディスクにＸ軸方向から接触する第１の接触部（１０７ａ）を有しＹ軸方向に沿って設けられた第１の回転中心軸（１０８）を中心として揺動可能な第１の支持部材（１０７）と、前記第１の回転中心軸に対して直交するように設けられた第２の回転中心軸（１１０）を介して前記第１の支持部材に支持され、前記偏芯ディスクにＹ軸方向から接触する第２の接触部（１１１ａ）を有し前記第２の回転中心軸を中心として揺動可能な部材であって、前記ブレ補正装置を固定する固定部（１１１ｂ，ｃ）を有した第２の支持部材（１１１）と、を有すること、を特徴とするブレ補正装置の検査装置である。
【００１３】
請求項４の発明は、請求項３に記載のブレ補正装置の検査装置において、前記偏芯ディスク（１０６）から前記第１の支持部材（１０７）及び第２の支持部材（１１１）が受ける振動は、位相が９０度ずれていること、を特徴とするブレ補正装置の検査装置である。
【００１４】
請求項５の発明は、請求項４に記載のブレ補正装置の検査装置において、前記偏芯ディスク（１０６）は、前記駆動軸（１０４）に対する偏芯量を変更することができるようにする偏芯量変更部材（１０５）を介して前記駆動軸へ取り付けられていること、を特徴とするブレ補正装置の検査装置である。
【００１５】
請求項６の発明は、請求項３から請求項５までのいずれか１項に記載のブレ補正装置の検査装置において、前記支持機構（１０７，１０８，１１０，１１１）に支持されたブレ補正装置（１）の光軸と、前記第１の回転中心軸（１０８）と、前記第２の回転中心軸（１１０）とは、略同一の点において交差し、その交差する点は、前記ブレ補正装置が像を結ぶ位置と略一致していること、を特徴とするブレ補正装置の検査装置である。
【００１６】
請求項７の発明は、請求項３から請求項６までのいずれか１項に記載のブレ補正装置の検査装置において、前記偏芯ディスク（１０６）の単位時間当りの回転数を表示する周波数表示部を備えること、を特徴とするブレ補正装置の検査装置である。
【００１７】
請求項８の発明は、請求項１から請求項７までのいずれか１項に記載のブレ補正装置の検査装置において、前記支持機構（１０７，１０８，１１０，１１１）に支持されたブレ補正装置（１）から光線を逆投影する投影部（２００）を備えること、を特徴とするブレ補正装置の検査装置である。
【００１８】
請求項９の発明は、請求項８に記載のブレ補正装置の検査装置において、前記投影部（２００）は、前記支持機構（１０７，１０８，１１０，１１１）に支持されたブレ補正装置（１）に対して電力供給を行う電力供給部と、前記支持機構に支持されたブレ補正装置に対してブレ補正動作の開始を指示するブレ補正開始指示部と、を有すること、を特徴とするブレ補正装置の検査装置である。
【００１９】
請求項１０の発明は、ブレ補正装置（１）に対して２軸方向の角度振れを与えることにより、前記ブレ補正装置を所定の位置を中心として光軸が円錐面に略沿うように振る検査用振れ動作を行い、前記ブレ補正装置から光線を逆投影して所定の位置に設けられた壁面（３００）に前記光線を投影し、前記ブレ補正装置がブレ補正動作を行うときと行わないときとの前記投影された光線の軌跡を観察することにより、前記ブレ補正装置のブレ補正動作が正常であるか否かを検査する検査方法である。
【００２０】
【発明の実施の形態】
以下、図面等を参照しながら、本発明の実施の形態について、更に詳しく説明する。
図１は、本発明によるブレ補正装置の検査装置の使用状態を示す図である。
なお、以下に示す各図中には、交換レンズ１の光軸方向をＺ軸とするＸ，Ｙ，Ｚの直交座標の方向を必要に応じて示している。
本実施形態におけるブレ補正装置の検査装置は、ブレ補正機能を備えた交換レンズ１のブレ補正動作が正しく行われているか否かを検査するときに使用する装置であり、加振部１００と、投影部２００とを備えている。
【００２１】
図２及び図３は、加振部１００の全体を示す図である。
本実施形態における加振部１００は、ベース部１０１，ハンドル１０２，減速部１０３，駆動軸１０４，偏芯量変更部材１０５，偏芯ディスク１０６，第１の支持部材１０７，第１の回転中心軸１０８，付勢ばね１０９，第２の回転中心軸１１０，第２の支持部材１１１等を有している。
【００２２】
ベース部１０１は、加振部１００の土台となる部材であり、箱状に形成されている。
ハンドル１０２は、変速部１０３に回転可能に取り付けられており、加振部１００の駆動力となる回転運動を作業者が手動で与える部分である。なお、本実施形態では、ハンドル１０２を用いて手動で回転運動を与えているが、電動モータなどを組み合わせてもよい。
【００２３】
変速部１０３は、内部に複数のギア列が設けられており、ハンドル１０２の回転を変速して駆動軸１０４へ伝える部分である。本実施形態における変速部１０３は、ハンドル１０２の回転を３倍に増速（ハンドル１０２が１回転すると駆動軸１０４が３回転）して伝える。
【００２４】
駆動軸１０４は、ベース部１０１に回転可能に支持されており、ハンドル１０２の回転が変速部１０３を介して伝えられる。
駆動軸１０４の回転は、単位時間当りの回転数を検出する不図示のセンサによりモニタされ、この回転数を表示する不図示の周波数表示部により、作業者に回転数が伝えられる。
【００２５】
図４は、駆動軸１０４付近で切断した断面図である。
図５は、図４のＡ部を拡大した図及びこれを軸方向から見た図である。
偏芯量変更部材１０５は、駆動軸１０４に対して不図示のビスにより固定されており、駆動軸１０４の回転と共に回転する。偏芯量変更部材１０５には、駆動軸１０４に対して所定量（偏芯量Ｄ）偏芯した嵌合穴１０５ａが設けられている。
【００２６】
偏芯ディスク１０６は、偏芯量変更部材１０５に対して固定され、駆動軸１０４の回転と共に回転する部材であり、駆動軸１０４と共に振動を後述の支持機構に与える振動発生部を形成している。偏芯ディスク１０６には、嵌合穴１０５ａに嵌合する嵌合軸１０６ａ，駆動軸１０４を逃げる逃げ孔１０６ｂ，円筒面１０６ｃが設けられている。
円筒面１０６ｃは、嵌合軸１０６ａに対して偏芯量Ｄ（偏芯量変更部材１０５の嵌合穴１０５ａが駆動軸１０４に対して偏芯している偏芯量と同量）偏芯している。したがって、円筒面１０６ｃが駆動軸１０４に対して偏芯している量は、偏芯量変更部材１０５と偏芯ディスク１０６との回転方向の相対的な位置を変更することにより、偏芯量がゼロ〜２Ｄの間で連続的に変化する。
【００２７】
図５（ａ）は、円筒面１０６ｃの駆動軸１０４に対する偏芯量が最大（２Ｄ）となっている状態を示し、図５（ｂ）は、円筒面１０６ｃの駆動軸１０４に対する偏芯量が最小のゼロとなっている状態を示している。
本実施形態における偏芯量変更部材１０５及び偏芯ディスク１０６には、互いの相対的な角度位置を必要な位置に固定することができるように、不図示の目盛が外周部分に設けられている。作業者は、この目盛を目安にして、偏芯量変更部材１０５と偏芯ディスク１０６との相対位置を決め、不図示のビスにより、これらが一体となるように固定する。
【００２８】
第１の支持部材１０７は、第１の回転中心軸１０８（図６参照）を介してベース部１０１に対して回転移動（揺動）可能に設けられている。
図６は、第１の回転中心軸１０８付近で切断した断面図である。
第１の回転中心軸１０８は、Ｙ軸方向に沿って設けられており、ベアリングを利用して第１の支持部材１０７が滑らかに回転移動（揺動）することができるようになっている。
【００２９】
図７は、偏芯量変更部材１０５，偏芯ディスク１０６付近を異なる角度から見た図である。なお、図７（ｂ）は、ベース部１０１を省いて示している。
第１の支持部材１０７には、第１の接触部１０７ａが、偏芯ディスク１０６の円筒面１０６ｃにＸ軸方向から接触している。また、第１の支持部材は、付勢ばね１０９（図１にのみ示す）により第１の接触部１０７ａが円筒面１０６ｃに確実に当接するように付勢されている。さらに、第１の支持部材１０７には、第１の回転中心軸１０８に対して直交するように設けられた第２の回転中心軸１１０が設けられている。さらにまた、第１の回転中心軸１０８と第２の回転中心軸１１０とが交差する点は、交換レンズ１が像を結ぶ位置と略一致する位置となっている。
【００３０】
第２の支持部材１１１は、第２の回転中心軸１１０を介して第１の支持部材１０７に対して支持され、第２の回転中心軸１１０を中心として回転可能である。第２の回転中心軸１１０は、ベアリングを利用して第２の支持部材１１１が滑らかに回転移動することができると共に、第１の支持部材１０７の第１の回転中心軸１０８を中心とした回転と共に回転を行うようになっている。
【００３１】
また、第２の支持部材１１１は、偏芯ディスク１０６の円筒面１０６ｃにＹ軸方向から接触する第２の接触部１１１ａを有しており、第２の接触部１１１ａは、第２の支持部材１１１及び、交換レンズ１の自重により円筒面１０６ｃに確実に当接するようになっている。なお、先に説明した第１の接触部１０７ａから第１の回転中心軸１０８までの距離と、第２の接触部１１１ａから第２の回転中心軸１１０までの距離は、等しくなるように設けられている。
以上の第１の支持部材１０７，第１の回転中心軸１０８，第２の回転中心軸１１０，第２の支持部材１１１等により交換レンズを支持する支持機構が形成されている。
【００３２】
さらに、第２の支持部材１１１は、交換レンズ１及び投影部２００を固定する固定部１１１ｂ，１１１ｃを有している。
固定部１１１ｂは、交換レンズ１の先端（被写体側端部）を保持できるようになっており、検査する交換レンズの種類に応じて、固定位置を変更することができるように、交換レンズの光軸方向に沿って移動することができるようになっている。
固定部１１１ｃは、投影部２００を固定する部分であり、本実施形態では、通常のカメラを固定する三脚ねじである。
【００３３】
投影部２００は、交換レンズ１の光学系を介してレーザ光を逆投影する部分であり、交換レンズ１を固定するマウント部（不図示）と、交換レンズ１に対して電力供給を行う電力供給部（不図示）と、ブレ補正動作の開始を指示するブレ補正開始指示部（不図示）と、レーザ光を出力するレーザ発振部２００ａとを備えている。
【００３４】
なお、本実施形態における投影部２００は、製品として製造されている一眼レフカメラのファインダ部分を改造して、このファインダ部分にレーザ発振部２００ａを設け、ファインダ部からレーザ光を逆投影するようにしている。したがって、マウント部，電力供給部，ブレ補正開始指示部は、一眼レフカメラに備わっているものをそのまま利用している。また、本実施形態では、レーザ発振部２００ａについても、市販のレーザポインタを利用している。このように、本実施形態では、できる限り市販品を利用することとして、検査装置の単価を下げるようにしている。
【００３５】
投影部２００は、固定部１１１ｃの三脚ねじを用いて第２の支持部材１１１に固定される。この投影部２００のマウント部と固定部１１１ｂを利用して交換レンズ１が第２の支持部材１１１に固定されるようになっている。交換レンズ１は、第２の支持部材に固定されると、その光軸が、第１の回転中心軸１０８と第２の回転中心軸１１０との交点近傍を通過するようになっている。
【００３６】
次に、本実施形態における交換レンズの検査方法について説明する。
図８は、交換レンズの検査を行っているときのレーザ光の軌跡を示す断面図である。
投影部２００からレーザ光を出力すると、壁面３００のある点に交換レンズ１からこのレーザ光が逆投影される。
先に説明したように、偏芯ディスク１０６の円筒面１０６ｃには、Ｘ軸方向及びＹ軸方向から第１の接触部１０７ａ及び第２の接触部１１１ａが接触している。したがって、偏芯ディスク１０６が回転することにより第１の接触部１０７ａ及び第２の接触部１１１ａへ伝わる振動は、位相が９０度ずれることとなる。
【００３７】
また、この第１の接触部１０７ａ及び第２の接触部１１１ａへ伝わる振動は、同じ偏芯ディスク１０６から伝わることから、振幅も同じである。
さらに、第１の接触部１０７ａから第１の回転中心軸１０８までの距離と、第２の接触部１１１ａから第２の回転中心軸１１０までの距離が等しいので、ハンドル１０２を回転すると、交換レンズ１の光軸は、第１の回転中心軸１０８と第２の回転中心軸１１０との交点付近を頂点として略円錐面に沿って移動することとなり、壁面３００に逆投影されているレーザ光は、円を描く。なお、このとき、ハンドル１０２により与えられる回転は、作業者が周波数表示部（不図示）を確認しながら適宜調節することができる。この最適な回転は、検査する交換レンズの仕様により異なるが、一般に手振れの周波数は、１〜１５Ｈｚであるから、この範囲で検査することによりブレ補正が適切に行えるかの確認をすることができる。
【００３８】
以上のように、本実施形態における検査装置は、２方向同時に同一の角度及び角速度を有した振れを発生すると共に、２方向の振れの位相差を９０度に固定することができる。
【００３９】
この状態において、投影部２００のブレ補正開始指示部から交換レンズ１に対してブレ補正動作の開始を指示すると、交換レンズ１がブレ補正動作を開始する。交換レンズ１のブレ補正が正常に動作すると、ブレ補正動作を行わないときにレーザ光が壁面３００に描いていた円の直径よりも小さな円を描くようになる。この直径の縮小量は、交換レンズの種類により異なるが、交換レンズの種類毎に製品としての規格値が定められており、それよりも直径が縮小されなければ、ブレ補正動作が正常に働いていないと判断することができる。例えば、直径が１／８以下となることが要求されている交換レンズである場合に、直径が１／２程度にしかならなかったような場合には、明らかに異常であると判断することができる。
【００４０】
また、ブレ補正動作を開始することにより、逆投影されているレーザ光の軌跡が、例えば、楕円を描くなど、円を描かずに、いびつになるような場合にも、ブレ補正動作に異常があると判断することができる。
交換レンズ、カメラ等に用いられるブレ補正装置では、通常、ブレ補正レンズを直交する２軸方向（Ｘ軸方向、Ｙ軸方向）にそれぞれ独立して駆動することにより、ブレ補正動作を行っている。したがって、例えば、一方の駆動量に異常があれば、逆投影される円がいびつになって現れる。また、これら２軸の駆動量自体は正常であっても、一方の駆動に遅れが生じて、Ｘ軸方向、Ｙ軸方向の駆動に位相差が生じてしまっている場合などにも、逆投影される円がいびつになる。このような異常状態は、従来のように、各方向を独立して検査する場合には、検出することができない。本実施形態では、両方向を一度に検査することができるので、従来では検出することができなかった故障であっても、容易に検出することができる。
【００４１】
本実施形態によれば、１つの偏芯ディスク１０６と、直交する２方向から偏芯ディスクに接する第１の接触部１０７ａ，第２の接触部１１１ａにより、交換レンズ１に対して第１の回転中心軸１０８及び第２の回転中心軸１１０まわりで、２方向同時に同一の角度及び角速度を有した振れを発生すると共に、２方向の振れの位相差を固定することができる。したがって、簡単な構成の検査装置でありながら、精度の高い検査を容易に行うことができる。
【００４２】
（変形形態）
以上説明した実施形態に限定されることなく、種々の変形や変更が可能であって、それらも本発明の均等の範囲内である。
例えば、本実施形態において、ハンドル１０２を作業者が手動で回転させて加振を行う例を示したが、これに限らず、例えば、モータにより駆動軸１０４を駆動するようにしてもよい。
【００４３】
また、本実施形態において、検査対象は、交換レンズである例を挙げて説明したが、これに限らず、例えば、ブレ補正機能を内蔵したカメラであってもよいし、双眼鏡など、カメラ以外の光学機器であってもよい。
【００４４】
さらに、本実施形態において、壁面に逆投影されたレーザ光の軌跡を観察して検査を行う例を示したが、これに限らず、例えば、センサなどを加えて自動判定を行うようにしてもよい。
【００４５】
【発明の効果】
以上詳しく説明したように、本発明によれば、以下の効果を奏することができる。
（１）支持機構に対して略直交する２軸方向の振動を同時に与える振動発生部を備えるので、一度に両軸方向の検査をすることができ、検査を簡単かつ短時間に行うことができる。
【００４６】
（２）振動発生部は、ブレ補正装置の光軸が略円錐面に沿って移動するように支持機構へ振動を伝えるので、光軸が描く軌跡が円形となり、検査時に異常の有無を容易に判別することができる。また、各方向のブレ補正動作に位相ずれがあっても、それを容易に検出することができる。
【００４７】
（３）振動発生部は、駆動軸と偏芯ディスクとを有し、支持機構は、第１の回転中心軸を中心として揺動可能な第１の支持部材と、第２の回転中心軸を中心として揺動可能な第２の支持部材とを有するので、２方向同時に同一の角度及び角速度を有した振れを発生すると共に、２方向の振れの位相差を固定することができる。したがって、簡単な構成であっても、精度の高い検査を行うことができる。また、装置を小型かつ安価にすることができる。
【００４８】
（４）偏芯ディスクから第１の支持部材及び第２の支持部材が受ける振動は、位相が９０度ずれているので、光軸が描く軌跡が円形となり、検査時に異常の有無を容易に判別することができる。また、各方向のブレ補正動作に位相ずれがあっても、それを容易に検出することができる。
【００４９】
（５）偏芯ディスクは、駆動軸に対する偏芯量を変更することができるようにする偏芯量変更部材を介して駆動軸へ取り付けられているので、検査されるブレ補正装置に応じて、最適な振れ量により検査を行うことができ、汎用性の高い検査装置とすることができる。
【００５０】
（６）支持機構に支持されたブレ補正装置の光軸と、第１の回転中心軸と、第２の回転中心軸とは、略同一の点において交差し、その交差する点は、ブレ補正装置が像を結ぶ位置と略一致しているので、精度の高い検査を行うことができる。
【００５１】
（７）偏芯ディスクの単位時間当りの回転数を表示する周波数表示部を備えるので、検査されるブレ補正装置に応じて、最適な周波数の振動を与えて検査を行うことができ、汎用性の高い検査装置とすることができる。
【００５２】
（８）支持機構に支持されたブレ補正装置から光線を逆投影する投影部を備えるので、ブレ補正装置の光軸の動きを容易に観察することができる。
【００５３】
（９）投影部は、支持機構に支持されたブレ補正装置に対して電力供給を行う電力供給部と、支持機構に支持されたブレ補正装置に対してブレ補正動作の開始を指示するブレ補正開始指示部とを有するので、交換レンズの検査を容易に行うことができる。
【００５４】
（１０）ブレ補正装置を所定の位置を中心として光軸が円錐面に略沿うように振る検査用振れ動作を行い、ブレ補正装置から光線を逆投影して所定の位置に設けられた壁面に光線を投影し、ブレ補正装置がブレ補正動作を行うときと行わないときとの投影された光線の軌跡を観察することにより、ブレ補正装置のブレ補正動作が正常であるか否かを検査するので、簡単な作業であっても、高精度な検査を行うことができる。
【図面の簡単な説明】
【図１】本発明によるブレ補正装置の検査装置の使用状態を示す図である。
【図２】加振部１００の全体を示す図である。
【図３】加振部１００の全体を示す図である。
【図４】駆動軸１０４付近で切断した断面図である。
【図５】図４のＡ部を拡大した図及びこれを軸方向から見た図である。
【図６】第１の回転中心軸１０８付近で切断した断面図である。
【図７】偏芯量変更部材１０５，偏芯ディスク１０６付近を異なる角度から見た図である。
【図８】交換レンズの検査を行っているときのレーザ光の軌跡を示す断面図である。
【符号の説明】
１  交換レンズ
１００  加振部
１０１  ベース部
１０２  ハンドル
１０３  減速部
１０４  駆動軸
１０５  偏芯量変更部材
１０６  偏芯ディスク
１０７  第１の支持部材
１０８  第１の回転中心軸
１０９  付勢ばね
１１０  第２の回転中心軸
１１１  第２の支持部材
２００  投影部
【図１】
2004287348.tif 000003
【図２】
2004287348.tif 000004
【図３】
2004287348.tif 000005
【図４】
2004287348.tif 000006
【図５】
2004287348.tif 000007
【図６】
2004287348.tif 000008
【図７】
2004287348.tif 000009
【図８】
2004287348.tif 000010